(57)【要約】【課題】板ガラス体を容易に保持し且つ板ガラス体洗浄時の排水性を向上させることができる板ガラス体保持治具を提供する。【解決手段】液晶パネルＡを立てた状態で保持する液晶パネル保持治具１は、立てられた状態の液晶パネルＡを載置すべくほぼ水平に配される長尺状のベース部材１０と、ベース部材１０の長手方向に沿ってベース部材１０に固定されると共に、夫々突起部２２を有する複数の支持部材２０とを備える。複数の支持部材２０は、夫々、立てた状態の液晶パネルＡを載置し、上方に突出すると共にベース部材１０の横方向に間隔をあけて並んだ２つの突起２２を有する。ベース部材１０は、ベース部材１０の長手方向に沿って複数の穴１３を有し、複数の支持部材２０は複数の穴１３に嵌入されるように構成されている。【選択図】      図１
2004356518.tif 000002
【特許請求の範囲】
【請求項１】
板ガラス体を立てた状態で保持する板ガラス体保持治具において、前記立てられた状態の板ガラス体を載置すべくほぼ水平に配される長尺状のベース部材と、当該ベース部材の長手方向に沿って前記ベース部材に固定され、且つ上方に突出する突起部を夫々有する複数の支持部材とを備え、当該複数の突起部のうち互いに隣接する突起部は、その間において前記ベース部材上に載置された板ガラス体を支承するように構成されていることを特徴とする板ガラス体保持治具。
【請求項２】
前記突起部の１つは、前記ベース部材の横方向に並んだ２つの突起から成ることを特徴とする請求項１記載の板ガラス体保持治具。
【請求項３】
前記複数の支持部材のうち互いに隣接する支持部材は、間隙を隔てて配されていることを特徴とする請求項１又は２記載の板ガラス体保持治具。
【請求項４】
前記ベース部材は、当該ベース部材の長手方向に沿って複数の穴を有し、前記複数の支持部材は前記複数の穴に嵌入されるように構成されていることを特徴とする請求項１乃至３のいずれか１項に記載の板ガラス体保持治具。
【請求項５】
前記支持部材の１つは下方に開いたコの字形をなしており、その両端がスナップ式に前記穴の１つに嵌入されるように構成されていることを特徴とする請求項４記載の板ガラス保持治具。
【請求項６】
前記支持部材の１つは、当該複数の支持部材のうち前記支持部材の１つに隣接する支持部材と協働して垂直方向の貫通孔を形成すべく、前記隣接する支持部材に面する側面に溝を有することを特徴とする請求項１乃至５のいずれか１項に記載の板ガラス体保持治具。
【請求項７】
前記板ガラス体保持治具は、ほぼ水平に配され、且つ前記ベース部材の一端を任意の位置で固定するように構成された長尺状の第１の固定部材と、ほぼ水平且つ前記第１の固定部材に平行に配され、且つ前記ベース部材の他端を任意の位置で固定するように構成された長尺状の第２の固定部材とを備えることを特徴とする請求項１乃至６のいずれか１項に記載の板ガラス体保持治具。
【発明の詳細な説明】
【０００１】
【発明の属する技術分野】
本発明は、板ガラス体保持治具に関し、特に、液晶表示用ガラス基板やプラズマ表示体用ガラス基板等の製造工程において板ガラス体を互いに接触しないように保持する板ガラス体保持治具に関する。
【０００２】
【従来の技術】
液晶表示用ガラス基板やプラズマ表示体用ガラス基板等の製造工程では、各ガラス基板を互いに接触しないように保持するのに、板ガラス体保持治具が用いられる。この板ガラス体保持治具は、ガラス基板を加工、処理、洗浄、又は場合によっては、輸送、保管するのに用いられ、この板ガラス体保持治具に保持されたガラス基板は、処理装置に１枚ずつロードされて枚葉処理されたり、板ガラス体保持治具ごとロードされてバッチ処理される。
【０００３】
このような板ガラス体保持治具としては、立てられた状態のガラス基板をその両側縁で支障すべく水平に配された一対のそろばん珠状の溝付き丸棒を備えるものや（例えば、特許文献１）、立てられた状態のガラス基板をその両側縁で支障すべく水平に配された一対の櫛形状のコの字形溝付き部材を備えるものがある（例えば、特許文献２）。
【０００４】
【特許文献１】
特開平７−２３１０３５号公報
【特許文献２】
特開２００３−４８７３３号公報
【０００５】
【発明が解決しようとする課題】
しかしながら、前者の板ガラス体保持治具は、一対のそろばん珠状の溝付き丸棒が洗浄されたばかりの濡れたガラス基板の両側縁を保持する場合、ガラス基板の両側縁と接触するそろばん珠状の溝の部分の排水性が十分でなく、ガラス基板に水跡汚れなどの欠点が生じるという問題がある。
【０００６】
後者の板ガラス体保持治具は、一対の櫛形状の溝付きコの字形部材がガラス基板の両側縁で保持するので、ガラス基板の両側縁と接触する櫛形状の溝の排水性が十分でなく、また、ガラス基板のサイズが変更されたときは、複数のネジで固定された一対のコの字形部材の位置を変更しなければならず、ガラス基板を保持する作業が煩雑であるという問題点がある。
【０００７】
本発明の目的は、板ガラス体を容易に保持し且つ排水性を向上させることができる板ガラス体保持治具を提供することにある。
【０００８】
【課題を解決するための手段】
上記目的を達成するために、請求項１記載の板ガラス体保持治具は、板ガラス体を立てた状態で保持する板ガラス体保持治具において、前記立てられた状態の板ガラス体を載置すべくほぼ水平に配される長尺状のベース部材と、当該ベース部材の長手方向に沿って前記ベース部材に固定され、且つ上方に突出する突起部を夫々有する複数の支持部材とを備え、当該複数の突起部のうち互いに隣接する突起部は、その間において前記ベース部材上に載置された板ガラス体を支承するように構成されていることを特徴とする。
【０００９】
請求項１記載の板ガラス体保持治具によれば、ほぼ水平に配される長尺状のベース部材の長手方向に沿ってベース部材に固定された複数の支持部材上の複数の突起部のうち互いに隣接する突起部は、その間においてベース部材上に載置された板ガラス体を支承するので、煩雑な作業を要せず、板ガラス体を容易に保持することができる。
【００１０】
請求項２記載の板ガラス体保持治具は、請求項１記載の板ガラス体保持治具において、前記突起部の１つは、前記ベース部材の横方向に並んだ２つの突起から成ることを特徴とする。
【００１１】
請求項２記載の板ガラス体保持治具によれば、突起部の１つは、たとえその太さが小さくとも、ベース部材の横方向に並んだ２つの突起から成るので、板ガラス体を安定的に保持することができる。また、突起部と板ガラス体との１つの接触ポイントの面積が小さくすることができるので、ガラス体の汚染を抑制する。
【００１２】
請求項３記載の板ガラス体保持治具は、請求項１又は２記載の板ガラス体保持治具において、前記複数の支持部材のうち互いに隣接する支持部材は、間隙を隔てて配されていることを特徴とする。
【００１３】
請求項３記載の板ガラス体保持治具によれば、複数の支持部材のうち互いに隣接する支持部材は、間隙を隔てて配されているので、排水性を向上させることができる。
【００１４】
請求項４記載の板ガラス体保持治具は、請求項１乃至３のいずれか１項に記載の板ガラス体保持治具において、前記ベース部材は、当該ベース部材の長手方向に沿って複数の穴を有し、前記複数の支持部材は前記複数の穴に嵌入されるように構成されていることを特徴とする。
【００１５】
請求項４記載の板ガラス体保持治具によれば、複数の支持部材は、ベース部材の長手方向に沿って設けられた複数の穴に嵌入されるので、複数の支持部材を着脱可能にし、もって用途に応じた材質の支持部材を使用することができる。
【００１６】
請求項５記載の板ガラス体保持治具は、請求項４記載の板ガラス保持治具において、前記支持部材の１つは下方に開いたコの字形をなしており、その両端がスナップ式に前記穴の１つに嵌入されるように構成されていることを特徴とする。
【００１７】
請求項５記載の板ガラス体保持治具によれば、支持部材の１つは下方に開いたコの字形をなしており、その両端がスナップ式に穴の１つに嵌入されるので、支持部材を容易に着脱することができる。
【００１８】
請求項６記載の板ガラス体保持治具は、請求項１乃至５のいずれか１項に記載の板ガラス体保持治具において、前記支持部材の１つは、当該複数の支持部材のうち前記支持部材の１つに隣接する支持部材と協働して垂直方向の貫通孔を形成すべく、前記隣接する支持部材に面する側面に溝を有することを特徴とする。
【００１９】
請求項６記載の板ガラス体保持治具によれば、支持部材の１つは、それに隣接する支持部材と協働して垂直方向の貫通孔を形成すべく、隣接する支持部材に面する側面に溝を有するので、排水性を更に向上させることができる。
【００２０】
請求項７記載の板ガラス体保持治具は、請求項１乃至６のいずれか１項に記載の板ガラス体保持治具において、前記板ガラス体保持治具は、ほぼ水平に配され、且つ前記ベース部材の一端を任意の位置で固定するように構成された長尺状の第１の固定部材と、ほぼ水平且つ前記第１の固定部材に平行に配され、且つ前記ベース部材の他端を任意の位置で固定するように構成された長尺状の第２の固定部材とを備えることを特徴とする。
【００２１】
請求項７記載の板ガラス体保持治具によれば、板ガラス体保持治具は、ベース部材の一端が第１の固定部材に任意の位置で固定され、ベース部材の他端がほぼ水平且つ第１の固定部材に平行に配された第２の固定部材に任意の位置で固定されるので、板ガラス体を更に安定的に保持することができる。
【００２２】
【発明の実施の形態】
以下、本発明の実施の形態に係る板ガラス体保持治具を図面を参照しながら説明する。
【００２３】
図１は、本発明の実施の形態に係る板ガラス体保持治具の斜視図である。
【００２４】
図１において、液晶パネルＡ（板ガラス体）を立てた状態で保持する液晶パネル保持治具１（板ガラス体保持治具）は、立てられた状態の液晶パネルＡを載置すべくほぼ水平に配される、例えば長さ３０ｃｍの長尺状のベース部材１０と、ベース部材１０の長手方向に沿ってベース部材１０に固定されると共に、夫々突起部２２を有する複数の支持部材２０とを備える。複数の支持部材２０は、夫々、立てた状態の液晶パネルＡを載置し、上方に突出すると共にベース部材１０の横方向に、例えば６ｍｍの間隔をあけて並んだ２つの突起２２を有する。
【００２５】
ベース部材１０は、図２（ａ）に示すように、ベース部材１０の長手方向に沿って複数の穴１３を有し、複数の支持部材２０は複数の穴１３に嵌入されるように構成され、例えば、支持部材２０の１つは下方に開いたコの字形をなしており、その両端がスナップ式に穴１３に嵌入されるように構成されている（図２（ｂ））。具体的には、支持部材２０は、下方に開いたコの字形の各自由端において外側へ突起したフック形状の嵌入部２３を有する。
【００２６】
また、ベース部材１０は、その長手方向の両縁部においてベース部材１０に対して垂直に設けられたガイド１２を有する。ガイド１２は、液晶パネルＡを洗浄する際に液晶パネル保持治具１を洗浄槽内に保持するために用いられる。
【００２７】
突起２２は、断面略楕円形であって、その長軸がベース部材１０と平行になるように配置されており、さらに、その頭部に若干の膨らみをもたせている。これにより、液晶パネルＡとの接触点の面積を小さくすることができる。
【００２８】
穴１３、ひいては支持部材２０や突起２２の配列ピッチは６．５ｍｍであり、複数の突起２２のうちベース部材１０の長手方向に互いに隣接する突起２２は、互いに２．８ｍｍの間隔があいており、その間において、ベース部材１０上に載置された液晶パネルＡを安定的に支承することができるように、例えば高さ１１ｍｍである。
【００２９】
複数の支持部材２０のうち互いに隣接する支持部材２０は、例えば０．３ｍｍの間隙部３０を隔てて配されている。
【００３０】
また、支持部材２０の１つは、これに隣接する支持部材２０と協働して垂直方向の貫通孔を形成すべく、隣接する支持部材２０に面する側面に溝２４を有する（図２（ｃ））。
【００３１】
図３は、図１の液晶パネル保持治具１の使用方法を説明するための斜視図である。
【００３２】
図３に示すように、まず、液晶パネル保持治具１を２本準備し、これらの液晶パネル保持治具１の各々を、ベース部材１０の一端においてほぼ水平に配された長尺状の固定部材４０に任意の位置で固定すると共に、ベース部材１０の他端においてほぼ水平且つ固定部材４０に平行に配された長尺状の固定部材５０に任意の位置で固定する。固定部材４０及び固定部材５０は、夫々、ベース部材１０と直角に配設される。ベース部材１０は、アルミニウム、ステンレスなどの金属製とするのが強度や剛性を確保する上で好ましい。また、後述する樹脂製の加工品を用いてもよいことは言うまでもない。
【００３３】
具体的には、固定部材４０は、その長手方向に沿って長穴４１を有する長尺状の固定部材本体４２を有し、液晶パネル保持治具１のベース部材１０の一端はボルト・ナット等の固定具４３によって長穴４１を介して固定部材本体４２に固定される。固定部材５０は、その長手方向に沿って長穴５１を有する長尺状の固定部材本体５２を有し、液晶パネル保持治具１のベース部材１０の一端はボルト・ナット等の固定具５３によって長穴５１を介して固定部材本体５２に固定される。
【００３４】
本実施の形態によれば、液晶パネル保持治具１は、ほぼ水平に配される長尺状のベース部材１０の長手方向に沿ってベース部材１０に固定された複数の支持部材２０上の複数の突起２２のうち互いに隣接する突起２２は、その間においてベース部材１０上に載置された液晶パネルＡを支承するので、煩雑な作業を要せず、液晶パネルＡを容易に保持することができる。
【００３５】
本実施の形態によれば、支持部材２０は、夫々、ベース部材１０の横方向に並んだ２つの突起２２を有するので、液晶パネルＡを安定的に保持することができる。
【００３６】
本実施の形態によれば、複数の支持部材２０のうち互いに隣接する支持部材２０は、間隙部３０を隔てて配されているので、排水性を向上させることができる。
【００３７】
本実施の形態によれば、複数の支持部材２２は、ベース部材１０の長手方向に沿って設けられた複数の穴１３に嵌入されるので、複数の支持部材２２を着脱可能にし、もって用途に応じた材質の支持部材を使用することができる。
【００３８】
本実施の形態によれば、支持部材２０の１つは下方に開いたコの字形をなしており、その両端がスナップ式に穴１３に嵌入されるので、支持部材２０を容易に着脱することができる。
【００３９】
本実施の形態によれば、支持部材２０の１つは、それに隣接する支持部材２０と協働して垂直方向の貫通孔を形成すべく、隣接する支持部材２２に面する側面に溝２４を有するので、排水性を更に向上させることができる。
【００４０】
本実施の形態によれば、液晶パネル保持治具１は、ベース部材１０の一端が固定部材４０に任意の位置で固定され、ベース部材１０の他端がほぼ水平且つ固定部材４０に平行に配された固定部材５０に任意の位置で固定されるので、液晶パネルＡを更に安定的に保持することができる。
【００４１】
本実施の形態では、支持部材２０はポリアセタール（ＰＯＭ）から成るが、これに限るものではなく、用途に応じて、濡れ性、耐熱性、及び耐腐食性を夫々考慮した樹脂から成るものであってもよい。このような樹脂として、例えば、ポリエーテルエーテルケトン（ＰＥＥＫ）、パーフルオロアルコキシ置換ポリテトラフルオロエチレン（ＰＦＡ）、ポリフッ化ビニリデン（ＰＶＤＦ）、エチレン−ビニルアルコール共重合体（ＥＶＯＨ）、ポリケトン（ＰＫ）、ポリエーテルイミド、ポリアミドイミド、ポリフェニレンサルファイド、ポリアリレート、ポリサルホン、ポリアリルサルホン、ポリエーテルサルホン、ポリブチレンテレフタレート、ポリプロピレン、ＡＢＳ樹脂、ポリフェニレンオキサイド等を用いてもよい。
【００４２】
これらのうち、ポリエーテルエーテルケトン（ＰＥＥＫ）などの耐熱性の樹脂を採用することにより、液晶パネル製作工程中の配向膜熱処理工程用のガラス保持治具と共用することができる。
【００４３】
本実施の形態では、突起２２の高さは１１ｍｍであり、穴１３、ひいては支持部材２０や突起２２の配列ピッチは６．５ｍｍであるが、これに限るものではなく、支持部材２０が液晶パネルＡを安定的に保持することができる寸法であればよい。
【００４４】
本実施の形態では、ベース部材１０の長手方向に互いに隣接する突起２２は、互いに２．８ｍｍの間隔があいているが、これに限るものではなく、厚さ０．５ｍｍ〜２．３ｍｍの液晶パネルＡを容易に且つ安定的に保持することができる寸法であればよい。
【００４５】
本発明の実施の形態では、支持部材２０は、上方に突出すると共にベース部材１０の横方向に、例えば６ｍｍの間隔をあけて並んだ２つの突起２２を有するが、これに限るものではなく、単数又は３つ以上の突起を有するものであってもよい。
【００４６】
本実施の形態では、液晶パネル保持治具１は、隣接した液晶パネル支持部材２０が０．３ｍｍの間隙部３０を隔てて配されているが、これに限るものではなく、液晶パネルＡに付着した水分の排水性を向上させることができる寸法及び形状であればよい。
【００４７】
このような隣接した２つの支持部材２０の変形例を図４（ａ）〜図４（ｅ）に示す。図４（ａ）は支持部材２０の水平断面形状が平行四辺形である場合を示し、図４（ｂ）は支持部材２０の水平断面形状がアーチ形である場合を示し、図４（ｃ）は支持部材２０の水平断面形状が山形である場合を示し、図４（ｄ）は支持部材２０の水平断面形状がクランク形である場合を示す。図４（ｅ）は支持部材２０の水平断面形状が略矩形であり、隣接する支持部材２０に面する側面に溝及びこれと相補形状の突条部を備える。これにより、排水性を更に向上させることができる。
【００４８】
本実施の形態では、支持部材２０の１つは、これに隣接する支持部材２０と協働して垂直方向の貫通孔を形成すべく、隣接する支持部材２０に面する側面に溝２４を有するが、これに限るものではなく、排水性を更に向上させることができる形状の溝を１つ、又はそれ以上有するものであればよい。
【００４９】
【発明の効果】
上記詳細に説明したように、請求項１記載の板ガラス体保持治具によれば、ほぼ水平に配される長尺状のベース部材の長手方向に沿ってベース部材に固定された複数の支持部材上の複数の突起部のうち互いに隣接する突起部は、その間においてベース部材上に載置された板ガラス体を支承するので、煩雑な作業を要せず、板ガラス体を容易に保持することができる。
【００５０】
請求項２記載の板ガラス体保持治具によれば、突起部の１つは、ベース部材の横方向に並んだ２つの突起から成るので、板ガラス体を安定的に保持することができる。また、突起部と板ガラス体との１つの接触ポイントの面積が小さくすることができるので、ガラス体の汚染を抑制する。
【００５１】
請求項３記載の板ガラス体保持治具によれば、複数の支持部材のうち互いに隣接する支持部材は、間隙を隔てて配されているので、排水性を向上させることができる。
【００５２】
請求項４記載の板ガラス体保持治具によれば、複数の支持部材は、ベース部材の長手方向に沿って設けられた複数の穴に嵌入されるので、複数の支持部材を着脱可能にし、もって用途に応じた材質の支持部材を使用することができる。
【００５３】
請求項５記載の板ガラス体保持治具によれば、支持部材の１つは下方に開いたコの字形をなしており、その両端がスナップ式に穴の１つに嵌入されるので、支持部材を容易に着脱することができる。
【００５４】
請求項６記載の板ガラス体保持治具によれば、支持部材の１つは、それに隣接する支持部材と協働して垂直方向の貫通孔を形成すべく、隣接する支持部材に面する側面に溝を有するので、排水性を更に向上させることができる。
【００５５】
請求項７記載の板ガラス体保持治具によれば、板ガラス体保持治具は、ベース部材の一端が第１の固定部材に任意の位置で固定され、ベース部材の他端がほぼ水平且つ第１の固定部材に平行に配された第２の固定部材に任意の位置で固定されるので、板ガラス体を更に安定的に保持することができる。
【図面の簡単な説明】
【図１】本発明の実施の形態に係る板ガラス体保持治具の斜視図である。
【図２】図１における液晶パネル保持治具１の部分図であり、（ａ）は側面図であり、（ｂ）は長手方向から見た側面図であり、（ｃ）は平面図である。
【図３】図１の液晶パネル保持治具１の使用方法を説明するための斜視図である。
【図４】図１における液晶パネル保持治具１の支持部材２０の変形例を示す図である。
【符号の説明】
１  液晶パネル保持治具
１０  ベース部材
１２  ガイド
１３  穴
２０  支持部材
２２  突起
２３  嵌入部
２４  溝
３０  間隙部
４０  固定部材
【図１】
2004356518.tif 000003
【図２】
2004356518.tif 000004
【図３】
2004356518.tif 000005
【図４】
2004356518.tif 000006